(57)【要約】【課題】ある程度の個体差や経年伸縮に関わらず，容易に平積みができてその状態で崩落もしにくい組立フェンスを提供すること。【解決手段】本発明の組立フェンス２は，多角形の平板状であり，辺同士を突き合わせて組み立てることで壁状をなすことができるとともに，面同士を向き合わせて平積みに積み重ねることができるものであって，積み重ね時に他の組立フェンスと接触する重ね合わせ部２３を有し，重ね合わせ部２３には，重ね合わせ相手である他の組立フェンスの位置に対して向けられた曲面形状部が形成されているものである。【選択図】図１
2019167773.tif 000002
【特許請求の範囲】
【請求項１】
多角形の平板状であり，辺同士を突き合わせて組み立てることで壁状をなすことができるとともに，面同士を向き合わせて平積みに積み重ねることができる組立フェンスであって，
積み重ね時に他の組立フェンスと接触する重ね合わせ部を有し，
前記重ね合わせ部には，重ね合わせ相手である他の組立フェンスの位置に対して向けられた曲面形状部が形成されていることを特徴とする組立フェンス。
【請求項２】
請求項１に記載の組立フェンスであって，
前記重ね合わせ部の表裏両面に前記曲面形状部が形成されており，
一方の面の前記曲面形状部が凸曲面であるとともに他方の面の前記曲面形状部が凹曲面であり，
前記凸曲面の曲率よりも前記凹曲面の曲率の方が緩やかであることを特徴とする組立フェンス。
【請求項３】
請求項２に記載の組立フェンスであって，
全体形状における一辺とその対辺とにそれぞれ前記重ね合わせ部を有していることを特徴とする組立フェンス。
【請求項４】
請求項３に記載の組立フェンスであって，
前記一辺上の前記重ね合わせ部と前記対辺上の前記重ね合わせ部とで，前記曲面形状部がそれぞれ独立にアーチ形状をなしていることを特徴とする組立フェンス。
【請求項５】
請求項３に記載の組立フェンスであって，
前記一辺上の前記重ね合わせ部にて前記凸曲面が形成されている面に対して前記対辺上の前記重ね合わせ部では前記凹曲面が形成されていることを特徴とする組立フェンス。
【請求項６】
請求項３から請求項５までのいずれか１つに記載の組立フェンスであって，
全体形状における一辺およびその対辺に，組み立て時に他の組立フェンスまたは土台との協働で支柱を保持する支柱保持穴が形成されており，
前記重ね合わせ部の一面側の前記凸曲面と他面側の前記凹曲面との間の位置が，前記支柱保持穴の空洞部となっていることを特徴とする組立フェンス。
【発明の詳細な説明】
【技術分野】
【０００１】
本発明は，辺同士を突き合わせて組み立てることで壁状をなすことができる組立フェンスに関する。さらに詳細には，組み立てない場合には面同士を向き合わせて平積みすることができるようにされている組立フェンスに関するものである。
【背景技術】
【０００２】
従来から，複数のピースを施工現場で組み立ててフェンスを構築する組立フェンスが用いられている。このような組立フェンスによるフェンスは，構築された状態で恒久的に使用されるとは限らない。一旦構築されたフェンスを解体して，後に再度フェンスの構築に供されることもある。そのため，多数の組立フェンスを，組み立てない個体の状態で保管しておく必要がある。さらにその状態で施工現場へ運搬する必要も生じる。
【０００３】
このような保管時・運搬時の便宜を考慮した組立フェンスの例として，特許文献１に記載されているガードフェンスを挙げることができる。同文献の図２には，ガードフェンスが平積みされている様子が描かれている。同文献のガードフェンスには，そのフレーム部（１）に角形の凸部（５ａ）および凹部（５ｂ）が形成されている。同文献の図２の平積み状態では，ガードフェンス同士で凸部（５ａ）と凹部（５ｂ）とが嵌り合っている。これにより，平積み状態が容易には崩れないようになっている。このためこの平積み状態のガードフェンスを，崩落の心配なく運搬することもできる。
【先行技術文献】
【特許文献】
【０００４】
【特許文献１】実開平５−５７０１１号公報
【発明の概要】
【発明が解決しようとする課題】
【０００５】
しかしながら，前記した従来の技術には次のような問題点があった。実際にガードフェンスを平積みしようとすると，上記の凸部（５ａ）と凹部（５ｂ）とがうまく嵌らない場合があることである。むろん，同一の仕様のガードフェンスを平積みする場合の話である。そのようなことが起こる原因は，個々のガードフェンスの個体差および経年伸縮である。特に，新旧のガードフェンスを混載で使用する場合には，平積みがうまくできない場合が多かった。新しいものと古いものとは別々に平積みすることも考えられるが，管理が煩雑になるという問題があった。
【０００６】
本発明は，前記した従来の技術が有する問題点を解決するためになされたものである。すなわちその課題とするところは，ある程度の個体差や経年伸縮に関わらず，容易に平積みができてその状態で崩落もしにくい組立フェンスを提供することにある。
【課題を解決するための手段】
【０００７】
本発明の一態様における組立フェンスは，多角形の平板状であり，辺同士を突き合わせて組み立てることで壁状をなすことができるとともに，面同士を向き合わせて平積みに積み重ねることができる組立フェンスであって，積み重ね時に他の組立フェンスと接触する重ね合わせ部を有し，重ね合わせ部には，重ね合わせ相手である他の組立フェンスの位置に対して向けられた曲面形状部が形成されているものである。
【０００８】
上記態様における組立フェンスでは，組み立てて壁状をなさしめた状態での使用に供しないときには，平積みに積み重ねることができる。この積み重ね状態にした積み重ね体においては，上下の組立フェンス間で，重ね合わせ部の曲面形状部同士が接することとなる。このため，組立フェンス間にある程度の個体差や経年伸縮があっても，容易に積み重ねができる。したがって，積み重ね体の状態での保管，運搬がしやすい。
【０００９】
上記態様の組立フェンスではさらに，重ね合わせ部の表裏両面に曲面形状部が形成されており，一方の面の曲面形状部が凸曲面であるとともに他方の面の曲面形状部が凹曲面であり，凸曲面の曲率よりも凹曲面の曲率の方が緩やかであることが望ましい。このように凸曲面と凹曲面との間に曲率の関係があると，上下の重ね合わせ部同士で水平面内方向に少し位置ずれがあっても，安定性が高い。このため，積み重ね体の崩落が起こりにくい。
【００１０】
上記態様の組立フェンスではまた，全体形状における一辺とその対辺とにそれぞれ重ね合わせ部を有していることがより好ましい。このようになっていれば，組立フェンスを平積みするに際して，水平面内で１８０°回転させても同じ形状となる。したがって，積み重ね体にするに当たって，個々の組立フェンスの向きを揃える必要がない。このため積み重ねの作業が楽である。
【００１１】
上記態様の組立フェンスではさらに，一辺上の重ね合わせ部と対辺上の重ね合わせ部とで，曲面形状部がそれぞれ独立にアーチ形状をなしていることが望ましい。このようになっていれば，上下の組立フェンス間に多少の寸法差があっても，その寸法差による重ね合わせ部同士の位置ずれを両者に均等に割り振った状態が安定位置となる。このため，積み重ね体の安定性が極めて高い。
【００１２】
一辺とその対辺とにそれぞれ重ね合わせ部を有する態様の組立フェンスではまた，一辺上の重ね合わせ部にて凸曲面が形成されている面に対して対辺上の重ね合わせ部では凹曲面が形成されていることが望ましい。このようになっていれば，積み重ね体にするに当たって，個々の組立フェンスの表裏を揃える必要がない。このため積み重ねの作業が楽である。
【００１３】
一辺とその対辺とにそれぞれ重ね合わせ部を有する各態様の組立フェンスではあるいは，全体形状における一辺およびその対辺に，組み立て時に他の組立フェンスまたは土台との協働で支柱を保持する支柱保持穴が形成されており，重ね合わせ部の一面側の凸曲面と他面側の凹曲面との間の位置が，支柱保持穴の空洞部となっていることが望ましい。このようになっている組立フェンスでは，組立時や積み重ね時のための機能に関する部分が，端部の縁辺部に集中している。その分，デザイン処理に制約のない部分を広く取ることができる。
【発明の効果】
【００１４】
本構成によれば，ある程度の個体差や経年伸縮に関わらず，容易に平積みができてその状態で崩落もしにくい組立フェンスが提供されている。
【図面の簡単な説明】
【００１５】
【図１】第１の形態に係る組立フェンスを示す俯瞰斜視図である。
【図２】図１の組立フェンスの仰観斜視図である。
【図３】図１の組立フェンスの積み重ね体を示す斜視図である。
【図４】図１中の重ね合わせ部の部分の拡大斜視図である。
【図５】図２中の重ね合わせ部の部分の拡大斜視図である。
【図６】図１の組立フェンスの重ね合わせ部の部分を示す正面図である。
【図７】第１の形態の重ね合わせ部同士を重ね合わせた状態を示す断面図（その１）である。
【図８】第１の形態の重ね合わせ状態の詳細を説明する断面図（その１）である。
【図９】第１の形態の重ね合わせ状態の詳細を説明する断面図（その２）である。
【図１０】第１の形態の重ね合わせ状態の詳細を説明する断面図（その３）である。
【図１１】変形例に係る重ね合わせ状態の詳細を説明する断面図（その１）である。
【図１２】変形例に係る重ね合わせ状態の詳細を説明する断面図（その２）である。
【図１３】変形例に係る重ね合わせ状態の詳細を説明する断面図（その３）である。
【図１４】第１の形態の重ね合わせ部同士を重ね合わせた状態を示す断面図（その２）である。
【図１５】第１の形態の重ね合わせ部同士を重ね合わせた状態を示す断面斜視図である。
【図１６】第２の形態に係る組立フェンスを示す俯瞰斜視図である。
【図１７】図１６の組立フェンスの仰観斜視図である。
【図１８】図１６中の重ね合わせ部の部分の拡大斜視図である。
【図１９】図１７中の重ね合わせ部の部分の拡大斜視図である。
【図２０】図１６の組立フェンスの重ね合わせ部の部分を示す正面図である。
【図２１】第２の形態の重ね合わせ部同士を重ね合わせた状態を示す断面図（その１）である。
【図２２】第２の形態の重ね合わせ部同士を重ね合わせた状態を示す断面図（その２）である。
【図２３】図１６の組立フェンスの積み重ね体を示す斜視図である。
【図２４】第２の形態の重ね合わせ部同士を重ね合わせた状態を示す断面斜視図（その１）である。
【図２５】第２の形態の重ね合わせ部同士を重ね合わせた状態を示す断面斜視図（その２）である。
【図２６】第２の形態の重ね合わせ部同士を重ね合わせた状態を示す断面斜視図（その３）である。
【図２７】第３の形態に係る組立フェンスを示す俯瞰斜視図である。
【図２８】図２７の組立フェンスの仰観斜視図である。
【図２９】図２７中の重ね合わせ部の部分の拡大斜視図である。
【図３０】図２８中の重ね合わせ部の部分の拡大斜視図である。
【図３１】図２７の組立フェンスの積み重ね体を示す斜視図である。
【図３２】図３１中の重ね合わせ部の部分の拡大斜視図である。
【発明を実施するための形態】
【００１６】
［第１の形態］
以下，本発明を具体化した実施の形態について，添付図面を参照しつつ詳細に説明する。第１の形態は，図１および図２に示す組立フェンス２およびその後述する変形例として，本発明を具体化したものである。図１および図２の組立フェンス２は，同一のものを多数組み合わせることで，特許文献１の図１に示されるような具合にフェンスを構築するためのものである。本明細書では，組み立てた全体を「フェンス」と呼び，その個々のピースを「組立フェンス」と呼ぶこととしている。
【００１７】
図１は組立フェンス２を上から見降ろした図であり図２は下から見上げた図である。よって，図１に現れている面を組立フェンス２の表面（おもてめん）とすれば図２は裏面である。図１および図２に示される組立フェンス２は，全体としてほぼ正方形の平板状のものであり，四辺にフレーム部２１が配置されている。フレーム部２１により，組立フェンス２の全体としての強度が付与されている。四方をフレーム部２１により囲まれている内部の部分が意匠部２２である。意匠部２２は，図では無地のものとして描いているが，装飾的なデザインを適宜施すことができる部分である。
【００１８】
組立フェンス２における図中のＸ方向およびＹ方向のうちのＸ方向のフレーム部２１の両端には，重ね合わせ部２３が設けられている。重ね合わせ部２３は，１つの組立フェンス２に計４箇所あり，複数の組立フェンス２を平積みに積み重ねた積み重ね体７（図３参照）において，組立フェンス２同士が互いに接触する箇所である。すなわち重ね合わせ部２３は，組立フェンス２同士の重ね合わせを行うための部位である。
【００１９】
図１および図２中の領域Ｆの部分を拡大して，図４および図５に示す。どちらの図にも１つの重ね合わせ部２３が現れている。図４は図１の一部でありすなわち表面側を示しており，図５は図２の一部でありすなわち裏面側を示している。重ね合わせ部２３は，図中のＸ方向と平行な縦リブ２４，２５と，Ｙ方向と平行な縦リブ２６，２７とにより，ほぼ直方体状をなしている。縦リブ２４〜２７はいずれも，組立フェンス２を平置きした状態（図３の積み重ね体７を含む）にて水平でなく縦方向となる部位である。このうち縦リブ２４，２５は，重ね合わせ部２３が設けられているフレーム部２１と平行であり，縦リブ２６，２７は垂直である。ただし重ね合わせ部２３では，平置き状態での天地方向の天井面および底面となる位置は開放状態となっている。したがって上から（図４）でも下から（図５）でも，重ね合わせ部２３の内部が見える。
【００２０】
重ね合わせ部２３の内部には，円筒部２８が形成されている。円筒部２８の内部は中空であり，縦リブ２６にその開口部２９が形成されている。円筒部２８の内部空間およびその開口部２９は，組立フェンス２を組み立ててフェンスとするための支柱を挿し込むための支持穴である。この支持穴は，組立フェンス２全体としては，その一辺およびその対辺に設けられている。フェンスの組立のための支柱としては，特許文献１の図１および図２中の「３」を参照されたい。本形態の場合には，支柱は組立フェンス２から独立した部材であり，組立時に支持穴（開口部２９，円筒部２８）に挿し込まれることとなる。これにより支柱は，上下の組立フェンス２の協働により，または組立フェンス２とその下の土台（特許文献１の図１中に符番なしで描かれている円形のもの，可搬でも据え付けでもよい）との協働により保持される。こうして，上下の組立フェンス２同士を接続し，または組立フェンス２とその下の土台とを接続するのである。
【００２１】
図４および図５の重ね合わせ部２３にはさらに，複数の中間縦リブ３０が形成されている。中間縦リブ３０は，縦リブ２６，２７の間に，これらと平行に設けられている。ただし縦リブ２６，２７は，円筒部２８の内部にまで及んで形成されてはいない。本形態の組立フェンス２の特徴点は，中間縦リブ３０の上辺および下辺の形状にある。そこでこれらにつき，図６により説明する。重ね合わせ部２３を正面から見る図６では，開口部２９の中に，円筒部２８の底部の形状が見えている。しかしこの底部の形状は本形態としての特徴点ではないので，その説明は省略する。
【００２２】
本形態における重ね合わせ部２３では図６に示されるように，中間縦リブ３０の上辺３１，下辺３２がいずれも，直線ではなく曲線状となっている。中間縦リブ３０と縦リブ２６とでは上辺の形状が同じであるため，図６中で縦リブ２６の上辺として見える箇所がそのまま中間縦リブ３０の上辺３１の形状を示している。一方下辺に関しては，縦リブ２６の下辺３３は直線状であるが，中間縦リブ３０の下辺３２はそれより下に張り出した位置にある。このため図６中で，縦リブ２６の下辺３３とは別に中間縦リブ３０の下辺３２が見えている。
【００２３】
図６に示されるように中間縦リブ３０の上辺３１，下辺３２はいずれも，図中で上向きに凸状の曲線をなしている。したがって中間縦リブ３０の形状としては，上辺３１が凸曲線状であり下辺３２が凹曲線状である。また，図６に現れてはいないが，縦リブ２７の上辺および下辺も，中間縦リブ３０の上辺３１および下辺３２とそれぞれ同じ形状である。また，図３等から分かるように，組立フェンス２における重ね合わせ部２３は，Ｙ方向の両端のそれぞれにある。上記の上辺３１の凸曲線状および下辺３２の凹曲線状は，両端の重ね合わせ部２３にてそれぞれアーチ状をなしている。
【００２４】
なお，図４および図５から分かるように中間縦リブ３０は有限の厚さを有している。このため，上記で中間縦リブ３０の上辺３１，下辺３２は曲線状であると書いたが厳密には曲面である。さらに，中間縦リブ３０は複数枚あるので，複数の同じ形状の上辺３１（縦リブ２６，２７の上辺を含む），下辺３２（縦リブ２７の下辺を含む）でそれぞれ，重ね合わせ部２３の天井面，底面に張られる凸曲面，凹曲面をイメージすることができる。
【００２５】
また，重ね合わせ部２３で最も低い位置は，上記より，中間縦リブ３０の下辺３２における図６中の左右両端の位置３４，３５である。この位置は前述の縦リブ２４，２５の下辺に相当する（図４，図５）。組立フェンス２を平坦な床面上に平置きしたときの接地箇所はこの位置である。
【００２６】
また，図４に示されるように，重ね合わせ部２３における上面側には，凸部３６が設けられている。凸部３６は図６にも現れている。凸部３６が設けられている位置は，重ね合わせ部２３の中でも開口部２９から見て最も奥側寄りの位置である。前述の円筒部２８は，凸部３６の下方の位置にまでは達していない。図５の裏面図で見ると，凸部３６の裏面に相当する位置は開口部３７となっており，その内部には円筒部２８はない。
【００２７】
これより，図３に示した積み重ね体７の状態では，最上段を除く各段の組立フェンス２の凸部３６が，そのすぐ上に隣接する組立フェンス２の開口部３７に入り込んだ形となっている。ただし凸部３６のサイズは，開口部３７に対してかなり余裕があるサイズとされている。このため，開口部３７への凸部３６の嵌り込みにより上段の組立フェンス２が位置決めされてしまうというほどのことではない。また，組立フェンス２を裏返しに平置きした場合の接地箇所は凸部３６の頂部である。
【００２８】
ここで，中間縦リブ３０の上辺３１および下辺３２における凸曲面と凹曲面との関係を説明する。上辺３１の凸曲面と下辺３２の凹曲面とでは，実は曲率が異なっている。より詳細には，上辺３１の凸曲面よりも下辺３２の凹曲面の方が緩やかな曲面となっている。そのため図７の断面図に示すように，２つの組立フェンス２の重ね合わせ部２３同士を重ね合わせた状態では，下段の組立フェンス２の凸曲面（上辺３１）と，上段の組立フェンス２の凹曲面（下辺３２）とは，ピタリ一致するのではなく，両者間に隙間ができる。その隙間の間隔は一律ではなく，図７中の左右方向の両端寄りほど大きい。そして，左右方向中央の箇所では隙間がない。すなわち凸曲面の頂部と凹曲面の底部とは接している。
【００２９】
本形態では凸曲面と凹曲面との曲率が上記のような関係にあるため，図７に示す積み重ね状態の安定性がよい。このことを図８〜図１３により説明する。図８に，下の重ね合わせ部２３の真上に上の重ね合わせ部２３が位置して重なっている状況の断面図を示す。ただし図８では，凸曲面（上辺３１）や凹曲面（下辺３２）の曲率を実際より強調して描いている。図８の状況では，凸曲面（上辺３１）と凹曲面（下辺３２）との中心同士が接触している。
【００３０】
図８の状況に対して，下の重ね合わせ部２３を固定したまま上の重ね合わせ部２３を少し右にずらした状況を図９に示す。図９の状態では，凸曲面（上辺３１）と凹曲面（下辺３２）との接点Ｐ１は，中心よりも逆に少し左にずれた位置にある。図９の状態での上の重ね合わせ部２３は，図８中の上の重ね合わせ部２３に対してわずかに上昇している。その上昇幅は，次のように表される。
上昇幅 ＝ （接点Ｐ１と中心点Ｐ３との高低差）−（接点Ｐ１と中心点Ｐ２との高低差）        Ｐ２：凸曲面（上辺３１）の中心位置
Ｐ３：凹曲面（下辺３２）の中心位置
【００３１】
つまり，図９に示されるように左右方向の位置ずれがわずかである場合，上の重ね合わせ部２３の上昇幅もごくわずかである，ということである。凸曲面と凹曲面との曲率差の分，上の重ね合わせ部２３の上昇が減殺されるからである。
【００３２】
図９の状況よりさらにずれを大きくした状況を図１０に示す。図１０の状態では，凹曲面（下辺３２）の端点Ｐ４が，凸曲面（上辺３１）と凹曲面（下辺３２）との接点となっている。このような状況では，上の重ね合わせ部２３の上昇幅は，ほぼ，凸曲面（上辺３１）の形状により支配される。つまり，上記の曲率差による減殺があまり効かない。このため図１０の状態では，図９に示した状況と比較して，上昇幅はかなり大きくなる。
【００３３】
図８〜図１０で説明したことを，組立フェンス２の全体で考える。図３に示した積み重ね体７において，重ね合わせ部２３同士が上下に重なっている状況は，Ｙ方向の両端に存在する。
【００３４】
ここで，個体差もしくは経年伸縮により上下の組立フェンス２のＹ方向の寸法が少し違っている状況を考える。この場合に左右両方の重ね合わせ箇所のうちの一方を図８のように正しく重ね合わせたとする。するともう一方の重ね合わせ箇所では必然的に，上の重ね合わせ部２３と下の重ね合わせ部２３とが左右にずれることになる。上下の組立フェンス２の寸法差が大きめであれば，図１０（もしくはその左右反転）のように大きめのずれとなる。この場合，組立フェンス２の全体でほぼ対称となるように左右の重ね合わせ箇所にずれを均等に振り分ければ，左右両方が図９の状態（およびその左右反転）となる。
【００３５】
そして，上の組立フェンス２の重心位置を考えると，片方が図１０の状態のままである場合よりも，左右両方を図９の状態にした方が低いことになる。前述のように，図９の状態での上昇幅がごくわずかであるのに対し，図１０の状態での上昇幅はかなり大きいからである。したがって，上下の組立フェンス２である程度寸法差があっても，積み重ね体７においては自然にほぼ左右対称の配置となろうとする。このため，積み重ね体７の安定性が極めて高い。また，この安定性には，前述の，凸曲面（上辺３１）および凹曲面（下辺３２）が左右両端の重ね合わせ部２３にてそれぞれアーチ状をなしているということも貢献している。組立フェンス２同士を少々ずらして積み重ねても，上記のような寸法差が生じていない限り，上段の組立フェンス２が大きく傾くことはないからである。
【００３６】
ここで変形例として，凸曲面と凹曲面との曲率の強弱関係が逆になっている場合を挙げることができる。この場合における，前述の図８に相当する状況を考えると，図１１のようになる。すなわち図１１では，上下の重ね合わせ部１２３において，凸曲面（上辺１３１）の方が凹曲面（下辺１３２）よりも緩やかな曲面となっている。この場合には図１１に示されるように，両重ね合わせ部１２３の接点が２箇所となる。
【００３７】
この場合における，前述の図９，図１０に相当する状況を図１２，図１３に示す。すなわちこの変形例の場合には，上下の重ね合わせ部１２３に位置ずれがあると，ずれの大小に関わらず，上の凹曲面（下辺１３２）の端部が接点となる。そして，図１１の状態を基準としたときの上の重ね合わせ部１２３の上昇幅は，凸曲面（上辺１３１）の形状だけで決まる訳である。曲率差による減殺はない。そして，図１２のようにずれ量が小さい場合でもある程度の上昇幅がある。さらに，図１３のようにずれ量が大きくなっても上昇幅は，図１２の場合と比べてあまり増大しない。
【００３８】
この場合における組立フェンス全体での状況を考える。上下の組立フェンスに寸法差がある場合における上の組立フェンスの重心位置は，ずれの左右間での割り振りにより次のようになる。まず，一方の重ね合わせ箇所を図１１のように正しく重ね合わせ，もう一方を図１３（もしくはその左右反転）のように大きくずれた状態としたとする。この場合の上の組立フェンスの重心位置はむろん，寸法差がなく左右両方とも図１１のようになった場合と比較して，かなり高い位置となる。しかしながら，ずれを均等に割り振って左右両方とも図１２（およびその左右反転）のようにずれが小さい状況としたとしても，それでもある程度高い重心位置となる。これは上記の上昇幅の関係による。このためこの変形例においては，積み重ね体において自然にほぼ左右対称の配置となろうとする傾向は弱い。
【００３９】
ただしこのことは，図１１〜図１３に示した変形例が全く使えないということを意味するのではない。この変形例であっても，上下の重ね合わせ部間で凸曲面同士（あるいは凹曲面同士）が向き合うようなものと比較すればはるかに安定性がよい。また，凸曲面と凹曲面とで曲率が同じであるようなものも，図１１〜図１３の変形例と同等に考えてよい。さらに，図８〜図１３で説明したことは，上下の組立フェンスをいずれも裏返しにして積み重ねた場合でも同様である。図８〜図１３をすべて上下反転して考えればよい。
【００４０】
本形態の説明に戻る。図１４に示すのは，図７と同様に重ね合わせ部２３同士を重ね合わせた状態の，図４中のＸ方向と垂直な切断面での断面図である。ただし断面の切断位置が，図７と図１４とで異なっている。図７が中間縦リブ３０のある箇所での断面図であるのに対し，図１４は中間縦リブ３０のない箇所での断面図である。なお図１４には，各重ね合わせ部２３において凸曲面（上辺３１）と凹曲面（下辺３２）との間の位置が円筒部２８の空洞部となっている状況が現れている。図１５に示すのはＹ方向と垂直な切断面での断面図である。図１５には，図３に示した積み重ね体７の状態における当該箇所の断面斜視図を示している。図１５には，上の組立フェンス２の開口部３７に下の組立フェンス２の凸部３６が入り込んでいる様子が現れている。
【００４１】
なお，本形態の組立フェンス２は，図１に示される姿勢に対し，水平面内で１８０°回転させても同じ形状となるものである。したがって図３のように積み重ねる場合には，表向きか裏返しかを統一する必要はあるものの，水平面内での１８０°回転に関しては任意である。このことは，図１１〜図１３に示した変形例の場合でも同様である。
【００４２】
［第２の形態］
図１６および図１７に，第２の形態に係る組立フェンス４を示す。本形態の組立フェンス４における，前述の第１の形態の組立フェンス２との相違点は，重ね合わせ部の詳細にある。組立フェンス２と共通する点については説明を省略する。本形態の組立フェンス４では，２種類の重ね合わせ部４３，重ね合わせ部５３を，それぞれ対角位置に配置している。２種類の重ね合わせ部４３，重ね合わせ部５３と書いたが，これらは実は同じ形のものを上下逆さにした関係にある。したがって，図１６（俯瞰図）中の重ね合わせ部４３と図１７（仰観図）中の重ね合わせ部５３とは同じ形である。当然，図１６中の重ね合わせ部５３と図１７中の重ね合わせ部４３とも同じ形である。
【００４３】
図１６および図１７中の領域Ｇの部分を拡大して，図１８および図１９に示す。どちらの図にも１つの重ね合わせ部４３が現れている。重ね合わせ部４３の構成は，縦リブ４４，４５，４６，４７，円筒部４８，開口部４９，中間縦リブ５０に関しては基本的に第１の形態の場合と同様である。縦リブ４６，４７，および中間縦リブ５０の上辺５１による凸曲面，下辺５２による凹曲面についても第１の形態の場合と同様である。この凸曲面（上辺５１）および凹曲面（下辺５２）については，図２０〜図２２に現れている。一方，もう１種類の重ね合わせ部５３では，図２０〜図２２を上下逆さにした形状となっている。なお，図２０における上部側に現れている「５２」は，図１６におけるＸ方向の奥側（右上）の重ね合わせ部５３（手前側のものとは上下逆さ）における下辺である。
【００４４】
したがって本形態の組立フェンス４では，図１６中に示されるように，凸曲面（上辺５１）を上に向けている重ね合わせ部４３と，凹曲面（下辺５２）を上に向けている重ね合わせ部５３とが，それぞれ対角位置に配置されている。図１７の仰観図で見れば当然，重ね合わせ部４３では凹曲面（下辺５２）が，重ね合わせ部５３では凸曲面（上辺５１）が，見えている。よって，組立フェンス４を図２３のように積み重ね体８にすると，矢印Ａで示す対角位置の２箇所では，図２１，図２２に示されるように，重ね合わせ部４３同士が重ね合わせられており，凸曲面や凹曲面の向きは，上向きに凸状となる向きである。一方，矢印Ｂで示す残りの２箇所では，重ね合わせ部５３同士が重ね合わせられている。ここでの断面の状況は，図２１，図２２を上下逆さにしたものである。
【００４５】
本形態の場合でも第１の形態の場合と同様に，組立フェンス４は，水平面内で１８０°回転させても同じ形状となるものである。したがって本形態の組立フェンス４も，積み重ね体８にするに際して水平面内での１８０°回転に関しては任意である。むろん本形態でも積み重ね体８は，位置ずれに対する高い安定性を有する。
【００４６】
そして本形態の組立フェンス４は，第１の形態の組立フェンス２よりもさらに，積み重ねの自由度が高い。組立フェンス４は，水平面内での回転ばかりでなく，図１６中のＸ軸まわりに１８０°回転させても同じ形状となるからである。なぜなら，このように組立フェンス４を回転させると，Ｙ方向の左端手前側の重ね合わせ部５３が右端手前側に来て，元の重ね合わせ部４３と同じ向きとなるからである。むろん，右端手前側の重ね合わせ部４３は左端手前側に来て，元の重ね合わせ部５３と同じ向きとなる。奥側も同じようなことになる。Ｙ軸まわりに１８０°回転させても同じことが起きる。つまり本形態の組立フェンス４は，表向きか裏返しかを気にせず積み重ねが可能なのである。したがって本形態の組立フェンス４では，積み重ね体８に際して，Ｘ方向とＹ方向との区別のみ注意すれば十分である。
【００４７】
本形態の組立フェンス４における重ね合わせ部４３，重ね合わせ部５３では，第１の形態における凸部３６および開口部３７に相当する部位は，第１の形態の場合とは異なる形状となっている。すなわち，凸部３６に相当する部位は，本形態では図１８中の凸部５６である。開口部３７に相当する部位は，本形態では図１９中の凹部５７である。凸部５６，凹部５７とも，板面（Ｘ−Ｙ平面）内でのサイズは，第１の形態における凸部３６，開口部３７より小さい。また，組立フェンス４における最端部に寄せて配置されている。また，重ね合わせ部４３および重ね合わせ部５３における開口部４９から見て最も奥側寄りに配置されているという訳ではない。凹部５７は，三方を補助リブ５８に囲まれている。
【００４８】
凸部５６は，図２０にも現れている。補助リブ５８は，図２０および図２１にも現れている。なお，図２０における上部側に現れている「５８」は，図１６におけるＸ方向の奥側（右上）の重ね合わせ部５３における補助リブである。また，図２２における下部側に現れている「５６」は，奥側の重ね合わせ部５３における凸部である。図２０における上部側の状況より，凸部５６と補助リブ５８とで高さが等しいことが分かる。凸部５６の頂部および補助リブ５８の頂部は，組立フェンス４を平坦な床面上に平置きしたときの接地箇所である。
【００４９】
図２４〜図２６に，図２３の積み重ね体８における重ね合わせ部４３もしくは重ね合わせ部５３の箇所の断面斜視図を示す。図２４は，前述の第１の形態にて図１５として示した図と同一の箇所での切断面および同一の視線方向による図である。図２５は，図２４と平行であるがやや端部寄りの切断位置での切断面による図である。図２５には，上の組立フェンス４の凹部５７に下の組立フェンス４の凸部５６が入り込んでいる様子が現れている。また，凸部５６のＸ方向における位置は円筒部４８が存在している範囲内の位置であるが，それでも下の組立フェンス４の凸部５６と上の組立フェンス４の円筒部４８とが干渉していない。これは，凸部５６が端部寄りに寄せて形成されており，円筒部４８の軸心から外れた位置にあるからである。図２６は，Ｙ方向と平行な縦断面で切断した状況を示す図である。切断位置は，凸部５６のある箇所である。図２６にも，下の組立フェンス４の凸部５６と上の組立フェンス４の円筒部４８とが干渉していない状況が現れている。
【００５０】
［第３の形態］
図２７および図２８に，第３の形態に係る組立フェンス６を示す。本形態の組立フェンス６は，前述の第２の形態を基本として，凸曲面および凹曲面による積み重ね体の安定化の作用が，Ｙ方向のみならずＸ方向にも働くようにしたものである。よって本形態の組立フェンス６では，Ｘ方向の両フレーム部６１に重ね合わせ部６３，重ね合わせ部７３が形成されているのみならず，Ｙ方向の両フレーム部６１にも重ね合わせ部８３，重ね合わせ部９３が形成されている。本形態における重ね合わせ部６３，重ね合わせ部７３は，第２の形態における重ね合わせ部４３，重ね合わせ部５３とほぼ同様のものである。
【００５１】
図２７（俯瞰図）および図２８（仰観図）中の領域Ｈの部分を拡大して，図２９および図３０に示す。どちらの図にも１つの重ね合わせ部６３およびその隣の重ね合わせ部９３が現れている。重ね合わせ部６３の，第２の形態における重ね合わせ部４３との相違点は，縦リブ６４がそのまま重ね合わせ部９３の縦リブ６６に繋がっている点である。
【００５２】
そして重ね合わせ部９３には，重ね合わせ部６３の凸曲面７１および凹曲面７２を上下逆向きにした凸曲面８１および凹曲面８２が形成されている。また，重ね合わせ部９３にも凸部９６および凹部９７が形成されているが，その上下の向きは重ね合わせ部６３の凸部７６および凹部７７とは逆向きになっている。なお，重ね合わせ部９３には，円筒部６８が形成されておらず，したがって開口部６９に相当する開口もない。このように組立フェンス６では，コーナー部を外側から俯瞰（図２７，図２９）すると，右側に凸曲面７１が形成され左側に凹曲面８２が形成されている。仰観（図２８，図３０）すると左右と凹凸との関係が逆になる。このことは四隅のどのコーナーでも同じである。
【００５３】
これより本形態の場合でも第２の形態の場合と同様に，組立フェンス６は，表向きか裏返しかを気にせず積み重ねが可能なものである。さらに本形態では，積み重ねに際しての組立フェンス６の水平面内での回転について，前述の第１の形態および第２の形態の場合よりもさらに自由度が高い。組立フェンス６は，重ね合わせ部の凸曲面および凹曲面の配置に関して，水平面内で９０°回転させても同じ形状となるからである。９０°回転（もしくは２７０°回転）の場合には円筒部６８や開口部６９の方向が揃わないこととなるが，そのことは積み重ねには別段支障はない。
【００５４】
本形態の場合の積み重ね体９の斜視図および部分拡大斜視図を，図３１および図３２に示す。この積み重ね体９では，図３１における矢印Ｃの４箇所では，前述の凸曲面が上向きとなっている。一方，矢印Ｄの４箇所では，凸曲面が下向きとなっている。これにより積み重ね体９では，Ｘ方向とＹ方向とのいずれの方向についても，位置ずれに対する安定性が高い。なお，本形態の積み重ね体９における最下段の組立フェンス６における接地箇所は，凸部７６（およびそれと同形の箇所）が４箇所，補助リブ７９（およびそれと同形の箇所）が４箇所，の計８箇所である。
【００５５】
第２の形態における組立フェンス４および第３の形態におけるに組立フェンス６おいても，第１の形態の場合と同様に，凸曲面（上辺５１）および凹曲面（下辺５２）の曲率に関して，図１１〜図１３で説明した変形例を適用することができる。凸曲面と凹曲面とで曲率が同じであるようにすることも可能である。
【００５６】
以上詳細に説明したように本実施の形態によれば，組立フェンス２，４，６のフレーム部に重ね合わせ部２３，４３，５３，６３，７３，８３，９３を設けており，複数枚の組立フェンスを平積みして積み重ね体７〜９とすることができる。そして重ね合わせ部には，上下面に凸曲面と凹曲面とが設けられており，積み重ねに際して上下の組立フェンス間で凸曲面が凹曲面に入り込むようになっている。これにより，組立フェンス間に多少の寸法差があっても積み重ね体の崩落が起こりにくいようになっている。特に，凸曲面の曲率を凹曲面の曲率より急峻とすることで，さらに積み重ね体の安定性を改善することができる。
【００５７】
また本形態では，上記の重ね合わせ部を，フレーム部に設けている。フレーム部は前述の円筒部２８，４８，６８が設けられる場所でもある。このように組立フェンスの機能（平積み時，組立時）に関する形状をフレーム部に集中させることで，意匠部２２を広く取ることができるのである。このため，デザイン性の高い組立フェンスとすることができる。なお，フレーム部の部分には全く意匠を施すことができないという訳ではない。意匠部２２に比べればある程度の制約はあるが，フレーム部も意匠の一部として使用することはできる。
【００５８】
なお，本実施の形態は単なる例示にすぎず，本発明を何ら限定するものではない。したがって本発明は当然に，その要旨を逸脱しない範囲内で種々の改良，変形が可能である。例えば，組立フェンスの材質については特に言及しなかったが，合成樹脂，金属，木材など何でもよい。ただし最も適用しやすいのは合成樹脂である。
【００５９】
また，第１の形態で，Ｙ方向の両端の重ね合わせ部にて，凸曲面および凹曲面を，左右で別々にアーチ状をなすこととしたが，このようなものに限らない。左端の重ね合わせ部と右端の重ね合わせ部とで凸曲面同士および凹曲面同士が繋がって１つの仮想的なアーチ形状を構成するようになっていてもよい。このようなものは本形態のものより積み重ね体の安定性では劣るが，上下の組立フェンス間で凸曲面対凸曲面が，あるいは凹曲面対凹曲面が向き合うようなものに比べればはるかに良好な安定性が得られる。
【００６０】
また，第３の形態で，Ｘ方向の安定性のための凸曲面および凹曲面と，Ｙ方向安定性のための凸曲面および凹曲面とを，別々に設けたが，両者を１つの重ね合わせ部に集中して設けてもよい。凸曲面および凹曲面自体も，３次元曲面を構成するようにして両方向に対して安定性を奏するようにしてもよい。また，組立フェンスの全体形状はほぼ正方形としたが，これに限らず長方形でもよい。ただし長方形だと，第３の場合でも積み重ねに際しての水平面内回転の自由度は１８０°ごとに限定される。また，長方形であることも必須ではなく，他の多角形状でもよい。
【符号の説明】
【００６１】
２，４，６                                        組立フェンス
２１，６１                                        フレーム部
２３，４３，５３，６３，７３，８３，９３，１２３  重ね合わせ部
２８，４８，６８                                  円筒部（支柱保持穴）
２９，４９，６９                                  開口部（支柱保持穴）
３０，５０                                        中間縦リブ
３１，５１，１３１                                上辺
３２，５２，１３２                                下辺
７１                                              凸曲面（上辺）
７２                                              凹曲面（下辺）
８１                                              凸曲面（下辺）
８２                                              凹曲面（上辺）
【図１】
2019167773.tif 000003
【図２】
2019167773.tif 000004
【図３】
2019167773.tif 000005
【図４】
2019167773.tif 000006
【図５】
2019167773.tif 000007
【図６】
2019167773.tif 000008
【図７】
2019167773.tif 000009
【図８】
2019167773.tif 000010
【図９】
2019167773.tif 000011
【図１０】
2019167773.tif 000012
【図１１】
2019167773.tif 000013
【図１２】
2019167773.tif 000014
【図１３】
2019167773.tif 000015
【図１４】
2019167773.tif 000016
【図１５】
2019167773.tif 000017
【図１６】
2019167773.tif 000018
【図１７】
2019167773.tif 000019
【図１８】
2019167773.tif 000020
【図１９】
2019167773.tif 000021
【図２０】
2019167773.tif 000022
【図２１】
2019167773.tif 000023
【図２２】
2019167773.tif 000024
【図２３】
2019167773.tif 000025
【図２４】
2019167773.tif 000026
【図２５】
2019167773.tif 000027
【図２６】
2019167773.tif 000028
【図２７】
2019167773.tif 000029
【図２８】
2019167773.tif 000030
【図２９】
2019167773.tif 000031
【図３０】
2019167773.tif 000032
【図３１】
2019167773.tif 000033
【図３２】
2019167773.tif 000034